(57)【要約】      （修正有）【課題】視認性及び誘導性を向上させることができる規制機材を提供する。【解決手段】板状の本体部２と本体部２を支持する支持部３ａ、３ｂとを有する規制機材１は、本体部２の表面部は、高輝度反射素材を用いて形成され、交通規制の内容を示す第一の領域４と、第一の領域４と異なる色の高輝度反射素材を用いて形成される第二の領域５と、第一の領域４の外周形状に基づいて配設される発光部６と、を有する。【選択図】図１
0003214052.tif 000002
【実用新案登録請求の範囲】
【請求項１】
板状の本体部と前記本体部を支持する支持部とを有する規制機材であって、
前記本体部の表面部は、
高輝度反射素材を用いて形成される、交通規制の内容を示す形状の第一の領域と、
前記第一の領域と異なる色の前記高輝度反射素材を用いて形成される第二の領域と、
前記第一の領域の外周形状に基づいて配設される発光部と、
を有することを特徴とする規制機材。
【請求項２】
請求項１に記載の規制機材であって、
前記第一の領域の示す前記交通規制の内容が矢印形状である場合、前記発光部を矢印形状に基づいて配設する
ことを特徴とする規制機材。
【請求項３】
請求項２に記載の規制機材であって、
前記第一の領域は、赤色系統に属する色の前記高輝度反射素材を用いて形成され、
前記第二の領域は、黄色系統に属する色の前記高輝度反射素材を用いて形成される
ことを特徴とする規制機材。
【請求項４】
請求項３に記載の規制機材であって、
前記本体部は、
前記矢印形状が示す誘導方向と同じ方向を示す、前記表面部から前記本体部の裏面部まで貫通する風抜け用の風孔部と、
風抜け用でかつ持ち手となる、前記表面部から前記裏面部に貫通する持ち手部と、
を有することを特徴とする規制機材。
【請求項５】
請求項４に記載の規制機材であって、
前記表面部に、前記表面部を保護する保護板が取り付けられる
ことを特徴とする規制機材。
【考案の詳細な説明】
【技術分野】
【０００１】
本考案は、交通規制をする際に用いる規制機材に関する。
【背景技術】
【０００２】
交通規制を行うための規制機材には高輝度反射型と自発光型とがある。例えば、関連する技術として、特許文献１には矢印形状の領域全体が自発光する規制機材について開示されている。
【先行技術文献】
【特許文献】
【０００３】
【特許文献１】特開平１０−０８１１７０号公報
【考案の概要】
【考案が解決しようとする課題】
【０００４】
しかしながら、特許文献１の規制機材は矢印形状の領域が見え難いときがある。
高輝度反射型の規制機材の場合、昼間は規制機材の表面部に設けられている矢印形状の領域の視認性はよいが、夜間は遠方から規制機材をみた場合（ヘッドライトの光が弱い場合）矢印形状の領域の視認性が低下する。また、例えば、高輝度反射素材で形成された矢印形状の領域が赤色で、矢印形状の領域以外の表面部の領域が高輝度反射素材で形成された黄色である場合、表面部にヘッドライトなどの強い光が照射されると、光が照射された黄色の領域が膨張したように見えるため注意喚起を運転者に促すことができるが、赤色の領域が暗くなるため矢印形状の領域が見え難くなり誘導性が低下する。すなわち、高輝度反射型の規制機材は、夜間において車両が規制機材に遠方から近づいた場合、運転者が矢印形状の領域が示す誘導方向を認識し難い。
【０００５】
また、自発光型の規制機材の場合、昼間は規制機材の表面部に設けられている矢印形状の領域の視認性は低下するが、夜間は矢印形状の領域全体がＬＥＤなどにより赤色に発光するので矢印形状の領域の視認性は向上する。ところが矢印形状の領域にヘッドライトなどの強い光が照射されるとＬＥＤの発光を打ち消してしまうため、矢印形状の領域が見え難くなり誘導性が低下する。また、自発光型の規制機材の場合には、矢印形状の領域以外の黄色の領域が狭いため、ヘッドライトなどの強い光が照射されても、光が照射された黄色の領域が膨張したように見えないため注意喚起を運転者に促すことが難しい。
【０００６】
本考案の一側面に係る目的は、視認性及び誘導性を向上させることができる規制機材を提供することである。
【課題を解決するための手段】
【０００７】
本考案に係る一つの形態である規制機材は、板状の本体部と、本体部を支持する支持部とを有する。本体部の表面部は、高輝度反射素材を用いて形成され、交通規制の内容を示す形状の第一の領域と、第一の領域と異なる色の高輝度反射素材を用いて形成される第二の領域と、第一の領域の外周形状に基づいて配設される発光部と、を有する。
【０００８】
また、第一の領域の示す交通規制の内容が矢印形状である場合、発光部を矢印形状に基づいて配設する。
更に、第一の領域は、赤色系統に属する色の前記高輝度反射素材を用いて形成され、第二の領域は、黄色系統に属する色の前記高輝度反射素材を用いて形成される。
【０００９】
また、本体部は、矢印形状が示す誘導方向と同じ方向を示す、表面部から本体部の裏面部まで貫通する風抜け用の風孔部と、風抜け用でかつ持ち手となる、表面部から裏面部に貫通する持ち手部と、を有する。
【００１０】
また、表面部には、表面部を保護する保護板が取り付けられる。
【考案の効果】
【００１１】
視認性及び誘導性を向上させることができる。
【図面の簡単な説明】
【００１２】
【図１】規制機材の本体部の一例を示す正面図である。
【図２】規制機材の本体部の一例を示す背面図である。
【図３】規制機材の本体部の一例を示す背面図である。
【図４】運用時の規制機材の一例を示す側面図である。
【図５】保護板の一例を示す正面図である。
【図６】発光部の配設の一例を示す図である。
【図７】発光部の配設の一例を示す図である。
【考案を実施するための形態】
【００１３】
以下図面に基づいて実施形態について詳細を説明する。
図１は、規制機材の本体部の一例を示す正面図である。規制機材１は、本体部２と二つの支持部３（３ａ、３ｂ）とを有する。
【００１４】
本体部２は、矩形板状で四隅をＲ加工して形成される。ただし、本体部２の形状は矩形に限定されるものではない。支持部３ａ、３ｂは、本体部２の裏面部に取り付けられ、本体部２を路面に対して立たせる。なお、本体部２、支持部３ａ、３ｂは樹脂材料を用いて形成される。樹脂材料は、例えば、ポリカーボネート、アクリル、ポリウレタンエラストマーなどである。なお、本体部２、支持部３ａ、３ｂの板厚は、例えば、３．０［ｃｍ］以下であることが望ましい。
【００１５】
本体部２の表面部について説明する。
本体部２の表面部は、領域４（第一の領域）、領域５（第二の領域）、発光部６、風孔部７（７ａ、７ｂ、７ｃ、７ｄ、７ｅ、７ｆ）、持ち手部８（８ａ、８ｂ）を有する。
【００１６】
領域４は、高輝度反射素材を用いて形成され、交通規制の内容を示す形状である。領域４は、図１に示すような矢印形状が考えられる。ただし、領域４の形状は矢印形状に限定されない。例えば、交通規制の内容を示す文字、模様、記号、絵などでもよい。また、領域４は、例えば、赤色系統に属する色の高輝度反射素材を用いて形成することが望ましい。
【００１７】
領域５は、領域４と異なる色の高輝度反射素材を用いて形成されている。領域５は、図１に示すような本体部２と同形状（矩形形状）から矢印を刳り抜いた形状である。また、領域５は、例えば、黄色系統に属する色の高輝度反射素材を用いて形成することが望ましい。
【００１８】
発光部６は、領域４の外周形状に基づいて配設される。発光部６は、例えば、ＬＥＤ（light emitting diode）などの発光素子を用いることが望ましい。なお、発光部６は、領域４の外周上に領域４を囲うように一定間隔で配設することが望ましい。ただし、ＬＥＤを配設する間隔は必ずしも一定間隔でなくてもよい。
【００１９】
このように領域４、５、発光部６を用いて表面部を形成することで、高輝度反射型の規制機材と同様、昼間は規制機材１の表面部に設けられている矢印形状の領域４の視認性が向上するので、矢印形状の領域４が見え易くなり誘導性が向上する。
【００２０】
また、夜間は矢印形状の領域４の外周に設けられた発光部６が発行するので、矢印形状の領域４の視認性が向上するとともに、矢印形状の領域４が見え易くなり誘導性が向上する。更に、矢印形状の領域４の外周上に発光部６を設けているので、遠方からみた場合でも、発光部６の発光により矢印形状の領域４の示す誘導方向が見え易くなり視認性が向上する。また、車両が規制機材１に近づいてヘッドライトの強い光で発光部６の発光を打ち消しても、従来の自発光型の規制機材より矢印形状の領域４以外の領域５が広いため、領域５が膨張したように見えるため注意喚起を運転者に促すことができる。
【００２１】
風孔部７は、表面部から本体部２の裏面部まで貫通する風抜け用の孔部である。領域４の形状が矢印形状である場合、風孔部７は、矢印形状の領域４が示す誘導方向と同じ方向を示すような形状の孔部を形成する。図１の例では、風孔部７ａ、７ｃ、７ｅは、アローヘッドの一方の斜辺（点Ｐと点Ｑ１とがなす線分）と略同じ角度の斜辺Ｌ７ａ、Ｌ７ｃ、Ｌ７ｅを有することで、矢印形状の領域４が示す誘導方向と同じ方向を示すようにしている。また、風孔部７ｂ、７ｄ、７ｆは、アローヘッドの他方の斜辺（点Ｐと点Ｑ２とがなす線分）と略同じ角度の斜辺Ｌ７ｂ、Ｌ７ｄ、Ｌ７ｆを有することで、矢印形状の領域４が示す誘導方向と同じ方向を示すようにしている。
【００２２】
このような風孔部７を規制機材１に設けることで、作業者は規制機材１の背面からでも現在の矢印形状の領域４が示している方向が分かるようにできる。
持手部８は、風抜け用でかつ持ち手となる、表面部から裏面部に貫通する孔部である。
【００２３】
本体部２の裏面部について説明する。
図２、図３は、規制機材の本体部の一例を示す背面図である。図２は、支持部３ａ、３ｂを開いた場合の背面図で、図３は、支持部３ａ、３ｂを閉じた場合の背面図である。なお、図３には説明を分かり易くにするため風孔部７、持ち手部８を示していない。
【００２４】
本体部２の裏面部は、支持部３（３ａ、３ｂ）、風孔部７（７ａ、７ｂ、７ｃ、７ｄ、７ｅ、７ｆ）、持ち手部８（８ａ、８ｂ）、接続部２２（２２ａ、２２ｂ、２２ｃ、２２ｄ）、制御部２１を有する。
【００２５】
支持部３ａ、３ｂは、中空の台形板状である。ただし、支持部３ａ、３ｂの形状は図３に示す中空の台形板状に限定されるものではない。
風孔部７、持ち手部８については上記したため説明を省略する。
【００２６】
制御部２１は、発光部６の発光を制御する回路基板を内部に備えている。制御部２１は、例えば、防水加工された筐体内部に回路基板が設置できる構造である。また、制御部２１は、発光部６を連続して発光させたり、点滅させたりする制御を行う。
【００２７】
接続部２２は、本体部２の裏面部に支持部３を取り付けるとともに、運用時、図２に示すように支持部３を裏面部の面に対して垂直方向（Ｚ軸方向）に立て、運用後、図３に示すように支持部３を裏面部の内側に倒す機構を有する。接続部２２は、例えば、丁番などである。
【００２８】
支持部３ａは、本体部２の裏面部の端辺２ｂ１側に、端辺２ｂ１と支持部３ａの下底部３１ａとが略平行になるように、接続部２２ａ、２２ｂを用いて取り付けられる。また、支持部３ｂが、本体部２の裏面部の端辺２ｂ２側に、端辺２ｂ２と支持部３ｂの下底部３１ｂとが略平行になるように、接続部２２ｃ、２２ｄを用いて取り付けられる。
【００２９】
また、図３に示すように、制御部２１は支持部３ａ、３ｂが重なり合った中空部分に収まる位置に配置されている。このように配置することで、規制機材１の厚さを薄くすることができる。
【００３０】
また、図３に示すように、支持部３ａには運用時に路面と接触する位置に滑り止め部３２ａ、３２ｂ、３３ａ、３３ｂが取り付けられ、支持部３ｂには運用時に路面と接触する位置に滑り止め部３２ｃ、３２ｄ、３３ｃ、３３ｄが取り付けられている。
【００３１】
図４は、運用時の規制機材の一例を示す側面図である。運用時、本体部２の表面部の底部２ａを基準とし、表面部が上方を向くＺ軸方向に、Ｙ軸に対して所定角度αだけ本体部２を傾けるように、規制機材１を立たせる。所定角度αは、例えば、４５度以下であることが望ましい。
【００３２】
なお、本体部２の表面部には、図４に示すように表面部を擦れから保護する保護板４１を取り付けてもよい。
図５は、保護板の一例を示す正面図である。保護板４１は、風孔部４２（４２ａ、４２ｂ、４２ｃ、４２ｄ、４２ｅ、４２ｆ）、持ち手部４３（４３ａ、４３ｂ）を有する。また、保護板４１は、本体部２の表面部と同形の板状である。図５において、保護板４１は矩形板状で四隅をＲ加工して形成される。ただし、保護板４１の形状は矩形に限定されるものではない。なお、保護板４１の板厚は、例えば、１．０［ｍｍ］程度であることが望ましい。保護板４１は透明であることが望ましい。
【００３３】
風孔部４２は、保護板４１を貫通する風抜け用の孔部である。風孔部４２は、本体部１に設けられた風孔部７と同じ位置に設けられる。
持ち手部４３は、保護板４１を貫通する風抜け用でかつ持ち手となる孔部である。持ち手部４３は、本体部１に設けられた持ち手部８と同じ位置に設けられる。
【００３４】
このように本体部２の表面部に保護板４１を取り付けることで、表面部の領域４、５に用いられている高輝度反射素材の擦化を防止することができる。
また、本考案は、以上の実施の形態に限定されるものでなく、本考案の要旨を逸脱しない範囲内で種々の改良、変更が可能である。
【００３５】
なお、発光部６の配設は、例えば、図６、図７に示すようにしてもよい。図６、図７は、発光部の配設の一例を示す図である。発光部６は、図６に示すように表面部２の領域４の外周を示す実線６０より内側の一点鎖線６１又は実線６０より外側に示す破線６２に配設してもよい。また、発光部６は、図７に示すように表面部２の領域４の外周を示す実線６０を跨ぐような一点鎖線７１又は破線７２のように配設してもよい。
【符号の説明】
【００３６】
１  規制機材
２  本体部
２ａ  底部
２ｂ１、２ｂ２  端辺
３、３ａ、３ｂ  支持部
４、５  領域
６  発光部
７、７ａ、７ｂ、７ｃ、７ｄ、７ｅ、７ｆ  風孔部
８、８ａ、８ｂ  持ち手部
２１  制御部
２２、２２ａ、２２ｂ、２２ｃ、２２ｄ  接続部
３１ａ、３１ｂ  下底部
３２ａ、３２ｂ、３２ｃ、３２ｄ  滑り止め部
３３ａ、３３ｂ、３３ｃ、３３ｄ  滑り止め部
４１  保護板
４２、４２ａ、４２ｂ、４２ｃ、４２ｄ、４２ｅ、４２ｆ  風孔部
４３、４３ａ、４３ｂ  持ち手部
【図１】
0003214052.tif 000003
【図２】
0003214052.tif 000004
【図３】
0003214052.tif 000005
【図４】
0003214052.tif 000006
【図５】
0003214052.tif 000007
【図６】
0003214052.tif 000008
【図７】
0003214052.tif 000009